【手続補正書】
【提出日】令和3年11月4日(2021.11.4)
【手続補正１】
【補正対象書類名】特許請求の範囲
【補正対象項目名】全文
【補正方法】変更
【補正の内容】
【特許請求の範囲】
【請求項１】
多成分波動場を得るステップと；
分離された波動場を得るために、前記多成分波動場に対して波動場分離を実行するステップであって、前記得られた分離された波動場は、数値モデリング中に生成された１つ又は複数の偽アーチファクトを含み、前記１つ又は複数の偽アーチファクトは、Ｐ波からＳ波への変換及びＳ波の反射が生ずる１つ又は複数の場所に位置する、前記実行するステップと；
分離された波動場を得るために、前記多成分波動場に対して波動場分離を実行する前記ステップに応答して、フィルタリングされた波動場を得るために、前記得られた分離された波動場に対して局所直交化重み付け（ＬＯＷ）フィルタリングを適用するステップであって、前記ＬＯＷフィルタリングを適用するステップは、前記得られた分離された波動場から前記数値モデリング中に生成された前記１つ又は複数の偽アーチファクトを除去する、前記適用するステップと；を備える、
方法。
【請求項２】
前記フィルタリングされた波動場に基づいて深度イメージを計算するステップをさらに備える、
請求項１に記載の方法。
【請求項３】
前記多成分波動場は、１次２Ｄ弾性波動方程式に基づく時間領域弾性波伝播モデルを用いて形成され、
前記多成分波動場は、水平成分と垂直成分とを含む、
請求項１に記載の方法。
【請求項４】
前記分離された波動場は、前記水平成分に対するＰ波動場、前記垂直成分に対するＰ波動場、前記水平成分に対するＳ波動場、又は、前記垂直成分に対するＳ波動場のうち少なくとも１つを含む、
請求項３に記載の方法。
【請求項５】
波動場分離を実行するステップは：
前記１次２Ｄ弾性波動方程式を、別々のＰ波成分とＳ波成分とに減結合するステップと；
前記減結合された１次２Ｄ弾性波動方程式に基づいて前記多成分波動場を分離するステップと；を備える、
請求項３に記載の方法。
【請求項６】
１次２Ｄ弾性波動方程式は、応力及び粒子速度の定式化で記述され、
前記１次２Ｄ弾性波動方程式を減結合するステップは、前記水平成分及び前記垂直成分の両方に対してＰ波応力及び粒子速度を提供する圧縮波成分に関連する一の組の式を用いて実行される、
請求項５に記載の方法。
【請求項７】
前記ＬＯＷフィルタリングを適用するステップは：
前記分離された波動場の波動場ごとに：
局所的な直交化の重みを計算するステップと；
前記計算された局所的な直交化の重みを、前記多成分波動場のうちの対応する成分に適用することにより、フィルタリングされた波動場を得るステップと；を備える、
請求項３に記載の方法。
【請求項８】
前記波動場分離は、Ｐ波動場及びＳ波動場分離法を用いて実行される、
請求項１に記載の方法。
【請求項９】
メモリと；
操作を実行するように編成された処理ユニットと；を備え、
前記操作は：
多成分波動場を得ること；
分離された波動場を得るために、前記多成分波動場に対して波動場分離を実行することであって、前記得られた分離された波動場は、数値モデリング中に生成された１つ又は複数の偽アーチファクトを含み、前記１つ又は複数の偽アーチファクトは、Ｐ波からＳ波への変換及びＳ波の反射が生ずる１つ又は複数の場所に位置する、前記実行すること；及び、
分離された波動場を得るために、前記多成分波動場に対して波動場分離を実行することに応答して、フィルタリングされた波動場を得るために、前記得られた分離された波動場に対して局所直交化重み付け（ＬＯＷ）フィルタリングを適用することであって、前記ＬＯＷフィルタリングを適用することは、前記得られた分離された波動場から前記数値モデリング中に生成された前記１つ又は複数の偽アーチファクトを除去する、前記適用すること；を含む、
デバイス。
【請求項１０】
前記操作は、前記フィルタリングされた波動場に基づいて深度イメージを計算することをさらに含む、
請求項９に記載のデバイス。
【請求項１１】
前記多成分波動場は、１次２Ｄ弾性波動方程式に基づく時間領域弾性波伝播モデルを用いて形成され、
前記多成分波動場は、水平成分と垂直成分とを含む、
請求項９に記載のデバイス。
【請求項１２】
前記分離された波動場は、前記水平成分に対するＰ波動場、前記垂直成分に対するＰ波動場、前記水平成分に対するＳ波動場、又は、前記垂直成分に対するＳ波動場のうち少なくとも１つを含む、
請求項１１に記載のデバイス。
【請求項１３】
波動場分離を実行することは：
前記１次２Ｄ弾性波動方程式を、別々のＰ波成分とＳ波成分とに減結合すること；及び、
前記減結合された１次２Ｄ弾性波動方程式に基づいて前記多成分波動場を分離すること；を備える、
請求項１１に記載のデバイス。
【請求項１４】
１次２Ｄ弾性波動方程式は、応力及び粒子速度の定式化で記述され、
前記１次２Ｄ弾性波動方程式を減結合することは、前記水平成分及び前記垂直成分の両方に対してＰ波応力及び粒子速度を提供する圧縮波成分に関連する一の組の式を用いて実行される、
請求項１３に記載のデバイス。
【請求項１５】
前記ＬＯＷフィルタリングを適用することは：
前記分離された波動場の波動場ごとに：
局所的な直交化の重みを計算すること；及び、
前記計算された局所的な直交化の重みを、前記多成分波動場のうちの対応する成分に適用することにより、フィルタリングされた波動場を得ること；を備える、
請求項１１に記載のデバイス。
【請求項１６】
前記波動場分離は、Ｐ波動場及びＳ波動場分離法を用いて実行される、
請求項９に記載のデバイス。
【請求項１７】
操作を実行するためにコンピュータシステムによって実行可能な命令を格納する非一時的なコンピュータ読取り可能媒体であって、
前記操作は：
多成分波動場を得ること；
分離された波動場を得るために、前記多成分波動場に対して波動場分離を実行することであって、前記得られた分離された波動場は、数値モデリング中に生成された１つ又は複数の偽アーチファクトを含み、前記１つ又は複数の偽アーチファクトは、Ｐ波からＳ波への変換及びＳ波の反射が生ずる１つ又は複数の場所に位置する、前記実行すること；及び、
分離された波動場を得るために、前記多成分波動場に対して波動場分離を実行することに応答して、フィルタリングされた波動場を得るために、前記得られた分離された波動場に対して局所直交化重み付け（ＬＯＷ）フィルタリングを適用することであって、前記ＬＯＷフィルタリングを適用することは、前記得られた分離された波動場から前記数値モデリング中に生成された前記１つ又は複数の偽アーチファクトを除去する、前記適用すること；を備える、
非一時的なコンピュータ読取り可能媒体。
【請求項１８】
前記操作は、前記フィルタリングされた波動場に基づいて深度イメージを計算することをさらに備える、
請求項１７に記載の媒体。
【請求項１９】
前記多成分波動場は、１次２Ｄ弾性波動方程式に基づく時間領域弾性波伝播モデルを用いて形成され、
前記多成分波動場は、水平成分と垂直成分とを含む、
請求項１７に記載の媒体。
【請求項２０】
前記分離された波動場は、前記水平成分に対するＰ波動場、前記垂直成分に対するＰ波動場、前記水平成分に対するＳ波動場、又は、前記垂直成分に対するＳ波動場のうち少なくとも１つを含む、
請求項１９に記載の媒体。
【手続補正２】
【補正対象書類名】明細書
【補正対象項目名】００７３
【補正方法】変更
【補正の内容】
【００７３】
さらに、請求されるいずれの実施も、少なくとも：コンピュータによる実施の方法；コンピュータによる実施の方法を実行するためのコンピュータ読取り可能命令を格納する非一時的コンピュータ読取り可能媒体；及び、コンピュータにより実行される方法を実行するように構成されるハードウェアプロセッサ又は非一時的なコンピュータ読取り可能媒体に格納された命令と相互運用可能に結合されたコンピュータメモリを含むコンピュータシステム；に適用可能であるとみなされる。
［第１の局面］
多成分波動場を得るステップと；
分離された波動場を得るために、前記多成分波動場に対して波動場分離を実行するステップと；
フィルタリングされた波動場を得るために、前記分離された波動場に対して局所直交化重み付け（ＬＯＷ）フィルタリングを適用するステップと；を備える、
方法。
［第２の局面］
前記フィルタリングされた波動場に基づいて深度イメージを計算するステップをさらに備える、
第１の局面に記載の方法。
［第３の局面］
前記多成分波動場は、１次２Ｄ弾性波動方程式に基づく時間領域弾性波伝播モデルを用いて形成され、
前記多成分波動場は、水平成分と垂直成分とを含む、
第１の局面に記載の方法。
［第４の局面］
前記分離された波動場は、前記水平成分に対するＰ波動場、前記垂直成分に対するＰ波動場、前記水平成分に対するＳ波動場、又は、前記垂直成分に対するＳ波動場のうち少なくとも１つを含む、
第３の局面に記載の方法。
［第５の局面］
波動場分離を実行するステップは：
前記１次２Ｄ弾性波動方程式を、別々のＰ波成分とＳ波成分とに減結合するステップと；
前記減結合された１次２Ｄ弾性波動方程式に基づいて前記多成分波動場を分離するステップと；を備える、
第３の局面に記載の方法。
［第６の局面］
１次２Ｄ弾性波動方程式は、応力及び粒子速度の定式化で記述され、
前記１次２Ｄ弾性波動方程式を減結合するステップは、前記水平成分及び前記垂直成分の両方に対してＰ波応力及び粒子速度を提供する圧縮波成分に関連する一の組の式を用いて実行される、
第５の局面に記載の方法。
［第７の局面］
前記ＬＯＷフィルタリングを適用するステップは：
前記分離された波動場の波動場ごとに：
局所的な直交化の重みを計算するステップと；
前記計算された局所的な直交化の重みを、前記多成分波動場のうちの対応する成分に適用することにより、フィルタリングされた波動場を得るステップと；を備える、
第３の局面に記載の方法。
［第８の局面］
前記波動場分離は、Ｐ−波動場及びＳ−波動場分離法を用いて実行される、
第１の局面に記載の方法。
［第９の局面］
メモリと；
操作を実行するように編成された処理ユニットと；を備え、
前記操作は：
多成分波動場を得ること；
分離された波動場を得るために、前記多成分波動場に対して波動場分離を実行すること；及び、
フィルタリングされた波動場を得るために、前記分離された波動場に対して局所直交化重み付け（ＬＯＷ）フィルタリングを適用すること；を含む、
デバイス。
［第１０の局面］
前記操作は、前記フィルタリングされた波動場に基づいて深度イメージを計算することをさらに含む、
第９の局面に記載のデバイス。
［第１１の局面］
前記多成分波動場は、１次２Ｄ弾性波動方程式に基づく時間領域弾性波伝播モデルを用いて形成され、
前記多成分波動場は、水平成分と垂直成分とを含む、
第９の局面に記載のデバイス。
［第１２の局面］
前記分離された波動場は、前記水平成分に対するＰ波動場、前記垂直成分に対するＰ波動場、前記水平成分に対するＳ波動場、又は、前記垂直成分に対するＳ波動場のうち少なくとも１つを含む、
第１１の局面に記載のデバイス。
［第１３の局面］
波動場分離を実行することは：
前記１次２Ｄ弾性波動方程式を、別々のＰ波成分とＳ波成分とに減結合すること；及び、
前記減結合された１次２Ｄ弾性波動方程式に基づいて前記多成分波動場を分離すること；を備える、
第１１の局面に記載のデバイス。
［第１４の局面］
１次２Ｄ弾性波動方程式は、応力及び粒子速度の定式化で記述され、
前記１次２Ｄ弾性波動方程式を減結合することは、前記水平成分及び前記垂直成分の両方に対してＰ波応力及び粒子速度を提供する圧縮波成分に関連する一の組の式を用いて実行される、
第１３の局面に記載のデバイス。
［第１５の局面］
前記ＬＯＷフィルタリングを適用することは：
前記分離された波動場の波動場ごとに：
局所的な直交化の重みを計算すること；及び、
前記計算された局所的な直交化の重みを、前記多成分波動場のうちの対応する成分に適用することにより、フィルタリングされた波動場を得ること；を備える、
第１１の局面に記載のデバイス。
［第１６の局面］
前記波動場分離は、Ｐ−波動場及びＳ−波動場分離法を用いて実行される、
第９の局面に記載のデバイス。
［第１７の局面］
操作を実行するためにコンピュータシステムによって実行可能な命令を格納する非一時的なコンピュータ読取り可能媒体であって、
前記操作は：
多成分波動場を得ること；
分離された波動場を得るために、前記多成分波動場に対して波動場分離を実行すること；及び、
フィルタリングされた波動場を得るために、前記分離された波動場に対して局所直交化重み付け（ＬＯＷ）フィルタリングを適用すること；を備える、
非一時的なコンピュータ読取り可能媒体。
［第１８の局面］
前記操作は、前記フィルタリングされた波動場に基づいて深度イメージを計算することをさらに備える、
第１７の局面に記載の媒体。
［第１９の局面］
前記多成分波動場は、１次２Ｄ弾性波動方程式に基づく時間領域弾性波伝播モデルを用いて形成され、
前記多成分波動場は、水平成分と垂直成分とを含む、
第１７の局面に記載の媒体。
［第２０の局面］
前記分離された波動場は、前記水平成分に対するＰ波動場、前記垂直成分に対するＰ波動場、前記水平成分に対するＳ波動場、又は、前記垂直成分に対するＳ波動場のうち少なくとも１つを含む、
第１９の局面に記載の媒体。